(57)【要約】【課題】他に固定装置等を用いずとも所望の角度で簡便に固定できるＬＥＤ表示パネル及びそれを用いたＬＥＤ情報表示装置を提供すること。【解決手段】ＬＥＤ素子用基板１にＬＥＤ素子３を実装してなるＬＥＤ実装モジュール１０と、表示面側シート２１と背面側シート２２とが積層されてなり、表示面側シート２１と背面側シート２２との間に、複数のＬＥＤ実装モジュール１０を連接部２４で連接した状態で収容可能で、且つ、ＬＥＤ実装モジュール１０の間の連接部２４において折畳み可能な収容シート２と、を含んでなるＬＥＤ表示パネル１００であって、ＬＥＤ表示パネル１００には、連接部２４を所望の角度で固定可能とする固定機構４が備わる。【選択図】図１
2017032859.tif 000002
【特許請求の範囲】
【請求項１】
ＬＥＤ素子用基板にＬＥＤ素子を実装してなるＬＥＤ実装モジュールと、
表示面側シートと背面側シートとが積層されてなり、
該表示面側シートと該背面側シートとの間に、複数の前記ＬＥＤ実装モジュールを連接部で連接した状態で収容可能で、且つ、前記ＬＥＤ実装モジュールの間の連接部において折畳み可能な収容シートと、を含んでなるＬＥＤ表示パネルであって、
前記ＬＥＤ表示パネルには、前記連接部を所望の角度で固定可能とする固定機構が備わるＬＥＤ表示パネル。
【請求項２】
前記固定機構が、必要に応じてラチェット歯車と歯止部材とが噛み合うことにより、ラチェット歯車が一の方向に回転することを許容し、他の方向に回転することを禁止する機構であるラチェット機構を含む機構である請求項１に記載のＬＥＤ表示パネル。
【請求項３】
前記固定機構が前記ＬＥＤ表示パネルの前記連接部を折り曲げられていない状態で固定可能とする固定機構である請求項１又は２に記載のＬＥＤ表示パネル。
【請求項４】
前記固定機構が前記ＬＥＤ表示パネルの少なくとも一つの前記連接部を折り曲げられた状態で固定可能とする固定機構である請求項１又は２に記載のＬＥＤ表示パネル。
【請求項５】
前記固定機構により請求項１から４のいずれかに記載のＬＥＤ表示パネルの前記連接部を所望の角度で固定した情報表示部を備えるＬＥＤ情報表示装置。
【発明の詳細な説明】
【技術分野】
【０００１】
本発明は、ＬＥＤ表示パネル及びＬＥＤ情報表示装置に関する。詳しくは、ＬＥＤ素子を搭載した情報表示装置であって、コンパクトに折り畳むことによって容易に携帯することができるＬＥＤ表示パネル、及びそれを用いてなるＬＥＤ情報表示装置に関する。
【背景技術】
【０００２】
近年、マトリックス状に実装したＬＥＤ素子を選択的に発光させることにより、所望の文字や記号等の情報を表示するドットマトリックス表示装置等、各種のＬＥＤ情報表示装置が急速に普及している（特許文献１参照）。このようなＬＥＤ情報表示装置は、例えば、高速道路等における交通情報の情報表示装置としても普及が進んでいる。
【０００３】
実際に、高速道路の各所には、そのようなＬＥＤ情報表示装置が設置されていて、様々な交通情報を表示し、随時、通行車両に伝達している。しかしながら、交通事故等の突発的且つ深刻な道路状況の変化が発生した場合等においては、そのような特定の位置に固定的に常設された表示装置のみによっては、必ずしも不特定の場所、時間で発生する事故等に速やかに対応して、必要な情報を必要な場所において表示することができない。
【０００４】
この問題に対処するため、軽量で折り畳み可能であることにより、必要な時に、必要な位置（例えば、高速道路における事故現場）への搬送が容易であり、且つ、設置場所における設置と撤収を短時間で行うことが可能な携帯型のＬＥＤ情報表示装置が提案されている（特許文献２参照）。
【先行技術文献】
【特許文献】
【０００５】
【特許文献１】特開２００８−２１８６７４号公報
【特許文献２】特開２０１１−４０５７０号公報
【発明の概要】
【発明が解決しようとする課題】
【０００６】
特許文献２に記載のＬＥＤ情報表示装置を構成するＬＥＤ装置パネルは、複数のＬＥＤ実装モジュールが一方向に連接する態様で樹脂シートからなる収容シートに収容されている。そして、この収容シートのうち、各ＬＥＤ実装モジュールの間の連接部となっている部分が、折曲げ可能部分となっており、搬送時にはこの部分が折り曲げられてコンパクトに折り畳むことができる構造を有している。
【０００７】
特許文献２に記載のＬＥＤ情報表示装置を構成するＬＥＤ装置パネルは、ＬＥＤ表示パネルの連接部を所望の角度で固定することができず、ＬＥＤ表示パネルの連接部を所望の角度で固定するためには他に固定装置等を用いなければならない。そのため、他に固定装置等を用いずとも連接部を所望の角度で簡便に固定できるＬＥＤ表示パネル及びそれを用いたＬＥＤ情報表示装置の開発が強く求められていた。
【課題を解決するための手段】
【０００８】
本発明者らは、鋭意研究を重ねた結果、連接部を所望の角度で固定可能とする固定機構が備わるＬＥＤ表示パネルとすることで上記課題を解決することができることを見出し、本発明を開発するに至った。
【０００９】
（１）ＬＥＤ素子用基板にＬＥＤ素子を実装してなるＬＥＤ実装モジュールと、表示面側シートと背面側シートとが積層されてなり、該表示面側シートと該背面側シートとの間に、複数の前記ＬＥＤ実装モジュールを連接部で連接した状態で収容可能で、且つ、前記ＬＥＤ実装モジュールの間の連接部において折畳み可能な収容シートと、を含んでなるＬＥＤ表示パネルであって、前記ＬＥＤ表示パネルには、前記連接部を所望の角度で固定可能とする固定機構が備わるＬＥＤ表示パネル。
【００１０】
（１）の発明によれば、複数のＬＥＤ実装モジュールを搭載してなるＬＥＤ表示パネルにおいて、連接部を所望の角度で固定可能とする固定機構が備わる。これにより、他に固定装置等を用いずとも所望の角度で簡便に固定できるＬＥＤ表示パネルとすることができる。
【００１１】
（２）前記固定機構が、必要に応じてラチェット歯車と歯止部材とが噛み合うことにより、ラチェット歯車が一の方向に回転することを許容し、他の方向に回転することを禁止する機構であるラチェット機構を含む機構である（１）に記載のＬＥＤ表示パネル。
【００１２】
（２）の発明によれば、複数のＬＥＤ実装モジュールを搭載してなるＬＥＤ表示パネルにおいて、ラチェット機構を含む機構により連接部を所望の角度で必要に応じて固定できるＬＥＤ表示パネルとすることができる。即ち、ラチェット歯車と歯止部材とからなる簡便な機構であるラチェット機構を含む機構により、所望の角度で固定できるＬＥＤ表示パネルとすることができる。
【００１３】
（３）前記固定機構が前記ＬＥＤ表示パネルの前記連接部を折り曲げられていない状態で固定可能とする固定機構である（１）又は（２）に記載のＬＥＤ表示パネル。
【００１４】
（３）の発明によれば、固定機構がＬＥＤ表示パネルの連接部を折り曲げられていない状態で固定可能とすることで、連接されたＬＥＤ実装モジュールの表示面を一平面状に配置された状態で固定することができる。これにより、ＬＥＤ表示パネルの使用に際してＬＥＤ表示パネルの表示面の平面性を自律的に保持することができる。
【００１５】
（４）前記固定機構が前記ＬＥＤ表示パネルの少なくとも一つの前記連接部を折り曲げられた状態で固定可能とする固定機構である（１）又は（２）に記載のＬＥＤ表示パネル。
【００１６】
（４）の発明によれば、固定機構がＬＥＤ表示パネルの少なくとも一つの連接部を折り曲げられた状態でＬＥＤ表示パネルを固定可能とすることで、連接された各ＬＥＤ実装モジュールの表示面が異なった方向に向かうように配置された状態で固定することができる。これにより、ＬＥＤ表示パネルの使用に際してＬＥＤ表示パネルの表示面を多面状とした状態でＬＥＤ表示パネルを自律的に保持することができる。
【００１７】
（５）前記固定機構により（１）から（４）のいずれかに記載のＬＥＤ表示パネルの前記連接部を所望の角度で固定した情報表示部を備えるＬＥＤ情報表示装置。
【００１８】
（５）の発明によれば、連接部を所望の角度で固定可能とする固定機構により（１）から（４）の発明の上記効果を有する情報表示部を備えるＬＥＤ情報表示装置を提供することができる。
【発明の効果】
【００１９】
本発明によれば、ＬＥＤ表示パネルに固定機構を備えることで他に固定装置等を用いずとも連接部を所望の角度で簡便に固定できるＬＥＤ表示パネル及びそれを用いたＬＥＤ情報表示装置を提供することができる。
【図面の簡単な説明】
【００２０】
【図１】本発明のＬＥＤ表示パネルの一実施形態を示す斜視図である。
【図２】本発明のＬＥＤ表示パネルの他の実施形態を示す斜視図である。
【図３】本発明のＬＥＤ情報表示装置の全体構成を示す斜視図である。
【図４】本発明のＬＥＤ表示パネルの部分拡大平面図である。
【図５】図３のＬＥＤ表示パネルのＡ−Ａ線における断面を模式的に示す断面図である。
【図６】本発明のＬＥＤ表示パネルの折り畳み方の説明に供する斜視図である。
【図７】図３のＬＥＤ表示パネルのＢ−Ｂ線における断面を模式的に示す断面図である。
【発明を実施するための形態】
【００２１】
以下、本発明のＬＥＤ表示パネル、及び、それを用いてなるＬＥＤ情報表示装置の実施形態について順次説明する。本発明は、以下の実施形態に何ら限定されず、本発明の目的の範囲内において、適宜変更を加えて実施することができる。
【００２２】
＜ＬＥＤ表示パネル＞
［全体構成］
本発明のＬＥＤ表示パネル１００は、例えば、図１に示すように、複数のＬＥＤ実装モジュール１０が、水平方向に連接部２４で連接されてなる情報表示装置である。ＬＥＤ実装モジュール１０とは、複数のＬＥＤ素子３がＬＥＤ素子用基板１に図４に示すように、マトリックス状に実装されてなる部材であり、文字情報等を表示可能な表示部材である。複数のＬＥＤ実装モジュール１０は、収容シート２に安定的に収容されている。
【００２３】
また、本発明のＬＥＤ表示パネル１００には固定機構４が備わる。固定機構４は、図１に示すように、ラチェット機構４１と芯４２からなる機構を例示することができる。本発明のＬＥＤ表示パネル１００は、固定機構４を備えることで、連接部２４を所望の角度で固定することができる。なお、本明細書において所望の角度で固定できるとは、特定の角度のみで固定できるという意味ではなく、ＬＥＤ表示パネル１００又はＬＥＤ情報表示装置２００の使用者が所望する角度で連接部２４の角度を調整し、連接部２４の角度を固定できることを意味する。また、角度とは、ＬＥＤ表示パネル１００の連接部２４を折り曲げられていない状態（連接部の角度が１８０度の状態）であるようなものも含まれ、ＬＥＤ表示パネル１００の連接部２４が折り曲げられた状態（連接部の角度が１８０度ではない状態）であるようなものも含まれる。固定機構４とその作用効果の詳細については後述する。
【００２４】
ＬＥＤ表示パネル１００においては、図３に示すように、各のＬＥＤ実装モジュール１０が、所定の間隔を開けて、直線状に、個別に、収容シート２に収容されている。そして、各のＬＥＤ実装モジュール１０は、収容シート２の内部に埋設されている可撓性を有する配線５によって、中継基盤６及びドライバ７等からなる内部制御部に導通されている。
【００２５】
ＬＥＤ表示パネル１００は、更に、必要に応じて、外部操作基盤８の他、必要な機器と接続されることによって、ＬＥＤ情報表示装置２００を構成する。ＬＥＤ情報表示装置２００は、固定機構４により連接部２４を所望の角度で固定したＬＥＤ表示パネル１００を備えるため、他に固定装置等を用いずともＬＥＤ表示パネル１００の連接部２４を所望の角度で固定して適宜使用することができる。
【００２６】
ＬＥＤ表示パネル１００は、図６に示すように搬送時や保管時等には個々のＬＥＤ実装モジュール１０を含む単位部分毎に積み重なる態様で、折り畳むことができる構造である。折り畳み方は特段限定されず、例えば、ＬＥＤ表示パネル１００が、３個以上のＬＥＤ実装モジュール１０を連接する場合においては、九十九折に折り畳むことができる構造を有するものであることが好ましい。九十九折とは、複数の面体が連接されて構成される対象において、隣り合う面体同士が、表面―表面、裏面―裏面が順番に重合しあうように折り畳まれる構造をいう。
【００２７】
以下、本発明のＬＥＤ表示パネル１００を構成する各構成について詳細に説明する。
【００２８】
［固定機構］
本発明のＬＥＤ表示パネル１００には、ＬＥＤ表示パネル１００の連接部２４を所望の角度で固定可能とする固定機構４が備わる。固定機構４は、図７に示すように、ラチェット機構４１と芯４２からなる機構を例示することができる。ラチェット機構４１とは、例えば、図７に示すように、必要に応じてラチェット歯車４１１と歯止部材４１２とが噛み合うことにより、ラチェット歯車４１１を一の方向（図７中、方向ａ１）に回転することを許容し、他の方向（図７中、方向ｂ１）に回転することを禁止する機構である。図７のバネ４１３は、歯止部材４１２に対しラチェット歯車４１１側にテンションを与える機能を有する。なお、ラチェット歯車４１１が方向ｂ１への回転を可能にするためには、例えば歯止部材４１２にバネ４１３によって与えられているテンションの方向と反対方向にテンションを必要に応じて与えられるような機構を別途設け、ラチェット歯車４１１と歯止部材４１２とが噛み合わないようにすればよい（図示せず）。ラチェット歯車４１１と歯止部材４１２からなる簡便な機構であるラチェット機構４１を含む機構により、所望の角度で連接部２４が固定可能なＬＥＤ表示パネル１００とすることができる。なお、ラチェット機構４１を含む機構は、本発明に係る固定機構４の例示であり、本発明に関する固定機構４はこれに限定されるものではない。
【００２９】
ラチェット機構４１に備えられるラチェット歯車４１１は、必要に応じてラチェット歯車４１１と歯止部材４１２とが噛み合うことにより、一の方向（図７中、方向ａ１）に回転することを許容する機構である。そのため、図７において本発明のＬＥＤ表示パネル１００の芯４２はラチェット機構４１を軸として方向ａ２に回転することが可能である。本発明のＬＥＤ表示パネル１００は、例えば、方向ａ１に回転することが可能なラチェット機構４１の性質を利用することで、連結部２４を所望の角度に調整することができる。
【００３０】
一方、ラチェット機構４１に備えられるラチェット歯車４１１は、必要に応じてラチェット歯車４１１と歯止部材４１２とが噛み合うことにより、他の方向（図７中、方向ｂ１）に回転することを禁止する機構である。そのため、図７において本発明のＬＥＤ表示パネル１００の芯４２はラチェット機構４１を軸として方向ｂ２に回転することができない。本発明のＬＥＤ表示パネル１００は、例えば、他の方向（図７中、方向ｂ１）に回転することが禁止されたラチェット機構４１の性質を利用することで、ＬＥＤ表示パネル１００の連結部２４を所望の角度で固定可能とすることができる。
【００３１】
また、ラチェット機構４１を含む機構によって、ＬＥＤ表示パネル１００の連接部２４をより堅牢に固定するためには、芯４２がラチェット機構４１のラチェット歯車４１１の回転が禁止される方向（図７中、方向ｂ１）にテンションがかかるような機構を設ければよい（図示せず）。ラチェット機構４１のラチェット歯車４１１の回転が禁止される方向（図７中、方向ｂ１）にテンションがかかるような機構を設けることによって、ＬＥＤ表示パネル１００の連接部２４をより堅牢に固定することができる。
【００３２】
［ＬＥＤ実装モジュール］
ＬＥＤ表示パネル１００を構成するＬＥＤ実装モジュール１０は、図５に示す通り、樹脂シート等からなる支持基板１１に金属配線部（図視せず）を形成してなるＬＥＤ素子用基板１に、ＬＥＤ素子３をマトリックス状に実装してなる発光部材である。
【００３３】
ＬＥＤ素子用基板１は、支持基板１１にＬＥＤ素子３を実装するための金属配線部（図示せず）が形成されてなる内部配線用の部材である。金属配線部は、少なくとも支持基板１１における情報表示面の側に形成されるが、所謂ドットマトリックス表示装置を構成する場合には、通常、特許文献１に記載のような多層の金属配線部が構成される。
【００３４】
ＬＥＤ素子用基板１には、支持基板１１の表面上及び金属配線部の表面上であって、ＬＥＤ実装用領域を除く部分（以下、「ＬＥＤ非実装領域」と言う）を覆って、樹脂基材等からなりＬＥＤ素子３を外部衝撃から保護する作用を発揮しうるスペーサー１２が形成されていることが好ましい。特に支持基板１１が、樹脂フィルム等からなり可撓性を有するフレキシブル基板である場合にはこのスペーサー１２の配置は必須である。
【００３５】
スペーサー１２は、例えば、ＬＥＤ素子３がマトリックス状に実装されているマトリックス領域の外周を取り囲む部分にのみ形成されたものであってもよい。従来品にはこのような構造のものが多くみられる。しかし、スペーサー１２は、５に示すようにＬＥＤ非実装領域全体に形成されているものであることがより好ましい。例えば、ポリカーボネートやアクリル等からなる樹脂シートであって、ＬＥＤ実装領域に対応する部分に貫通孔を形成したものを、上記マトリックス領域全体を覆う態様で積層する構成を好ましい構成の具体例として挙げることができる。スペーサー１２の構成をこのような構成とすることにより、従来よりも相対的に可撓性の高い、厚さが小さい樹脂シートで収容シート２が構成されている本発明のＬＥＤ表示パネル１００においても、より確実にＬＥＤ素子３を外部衝撃等から保護することができる。
【００３６】
又、特にＬＥＤ表示パネル１００がドットマトリックス表示装置である場合、ＬＥＤ実装モジュール１０におけるＬＥＤ非実装領域の最表面には、コントラスト向上用の黒色層１３が形成されていることが好ましい。この黒色層１３は、スペーサー１２の表面を黒色顔料等によって着色したものであってもよいし、同顔料を含有させた樹脂基材であって、上記のスペーサー１２同様、ＬＥＤ素子実装領域に対応する部分に貫通孔を形成したものをスペーサー１２の上面に別途積層する構成であってもよい。
【００３７】
ＬＥＤ素子用基板１を構成する支持基板１１は、樹脂フィルム等からなり可撓性を有するフレキシブル基板であることが好ましい。支持基板１１をフレキシブル基板とすることにより、設置場所が曲面を含む壁面等である場合にも当該曲面に追従させてＬＥＤ表示パネル１００を設置することができる。又、支持基板１１をフレキシブル基板とすることにより、更には、ＬＥＤ実装モジュール１０との接触に起因する収容シート２の擦傷や破損の危険性を大幅に低減させることができる。但し、これに限らず、支持基板１１は、リジット基板等の一定の剛性を有するＬＥＤ素子用基板１であってもよい。
【００３８】
フレキシブル基板の材料樹脂の好ましい例としては、ポリイミド（ＰＩ）、ポリエチレンナフタレート（ＰＥＮ）、非晶ポリアリレート、ポリサルフォン、ポリエーテルサルフォン、ポリフェニレンスルファイド、ポリエーテルエーテルケトン、ポリエーテルイミド、フッ素樹脂、液晶ポリマー等を挙げることができる。中でも、アニール処理等の耐熱性向上処理を施すことによって耐熱性と寸法安定性を向上させたポリエチレンナフタレート（ＰＥＮ）を特に好ましく用いることができる。又、難燃性の無機フィラー等の添加によって難燃性を向上させたポリエチレンテレフタレート（ＰＥＴ）も樹脂基材の材料樹脂として選択することができる。支持基板１１は、上記の通り、その他、剛性を有する材料、例えば、木材、金属、セラミック等からなるものであってもよい。
【００３９】
支持基板１１上に形成される金属配線部の配置は、ＬＥＤ素子３を所望のピッチでマトリックス状に実装することができる配置であれば特定の配置に限定されず、従来公知のＬＥＤ素子用基板１と同様の配置も含めて任意の配置とすることができる。金属配線部の材料として用いられる金属としては、アルミニウム、金、銀、銅等の金属箔が例示できる。
【００４０】
ＬＥＤ素子用基板１に実装されることによりＬＥＤ実装モジュール１０を構成するＬＥＤ素子３は、Ｐ型半導体とＮ型半導体が接合されたＰＮ接合部での発光を利用した発光素子である。Ｐ型電極、Ｎ型電極を素子上面、下面に設けた構造と、素子片面にＰ型、Ｎ型電極の双方が設けられた構造が提案されている。ＬＥＤ素子用基板１における金属配線部へのＬＥＤ素子３の接合は、ハンダ接合により好ましく行うことができる。このハンダ接合は、リフロー方式、或いは、レーザー方式によることができる。
【００４１】
ＬＥＤ表示パネル１００は、上記部材の他、支持基板１１の背面側に、背面側補強版１４が更に積層されていることが好ましい。背面側補強版１４としては、例えば、ポリカーボネートやアクリル、アルミ等からなるシート又はパネルを好ましく用いることができる。
【００４２】
又、ＬＥＤ表示パネル１００には、必要に応じて、ＬＥＤ素子３の発光面の上方のいずれかの層に拡散板１５を更に配置してもよい。拡散板１５は、光源となるＬＥＤ素子３からの出射光を均一に拡散させて輝度のバラつきを低減させる機能を有する。入射した光に拡散作用を与える光学特性を有するものであれば、特段限定なく従来公知の各種光学フィルムを用いることができる。例えば、ポリカーボネートやアクリル樹脂等からなる半透明の樹脂フィルム上に光拡散機能を発揮するために、微小でランダムなレンズアレイが全面に形成されている光学フィルム等を、拡散板１５の具体例として挙げることができる。
【００４３】
［収容シート］
収容シート２は、複数のＬＥＤ実装モジュール１０を連接した状態で、安定的に収容することができ、又、ＬＥＤ表示パネル１００の使用中を通じてこれに収容されたＬＥＤ実装モジュール１０を保護する収容シート２である。収容シート２は、２枚の樹脂シートを、それぞれ表示面側シート２１及び背面側シート２２として用い、これらを重ね合わせて、両シート間に複数のＬＥＤ実装モジュール１０を安定的に収容可能な空間であるＬＥＤ収容部を形成しつつ、その他の部分を、ＬＥＤ実装モジュール１０を安定的に保持可能な態様で封止することによって形成される。
【００４４】
ＬＥＤ収容部は、表示面側シート２１と背面側シート２２とが、ＬＥＤ実装モジュール１０を収容するために必要な領域を除いた領域であって、当該ＬＥＤ実装モジュール１０を収容するために必要な領域間に形成される連接部２４を含む領域において、相互に密着されて封止部２３を形成することによって、封止部２３に囲まれた部分の袋状の空洞部として形成される。尚、収容シート２の連接部２４とは、上記の通り、収容シート２において、表示面側シート２１と背面側シート２２が密着されてＬＥＤ実装モジュール１０を封止する封止部２３となっている部分のうち、特に、複数のＬＥＤ実装モジュール１０の間に形成されている封止部２３であって、折り畳み時に折り曲げ可能部分となる部分のことを言う。
【００４５】
図５に示す通り、表示面側シート２１のうち、少なくともＬＥＤ素子３が実装されているマトリックス領域を取り囲む領域、即ち、ＬＥＤ素子３の点灯によって、情報を表示する領域上の領域は、表示面側シート２１が存在しない開口領域としてもよいが、表示面側シート２１の当該領域部分を光透過性の高い透明フィルム２１１で形成することが好ましい。或いは、この情報表示領域上の部分においては、表示面側シート２１に代えて別途の透明部材を代替的に配置してもよい。
【００４６】
収容シート２を構成する樹脂シートとしては、ビニール（軟質プラスチック）、アクリル、スチレン類等からなる公知の樹脂シートを適宜用いることができる。但し、本発明のＬＥＤ表示パネル１００においては、折り畳み時の屈曲部の曲率半径を容易に充分に小さくしやすいという観点から、塩化ビニルを用いることが特に好ましい。尚、収容シート２には、必要に応じてその他の所望の物性を付与するために、コーティング、又は着色化等を施してもよい。
【００４７】
収容シート２を構成する樹脂シートの厚さは０．３ｍｍ以上０．８ｍ以下であることが好ましい。このような範囲であることにより、ＬＥＤ素子３の保護のために必要な耐衝撃性や耐候性を確保しながら、収容シート２の折曲げ可能部分の曲率半径を、容易に充分小さくすることができる。又、折曲げ可能部分を含む連接部２４の幅も充分に小さくすることが可能となり、連接部２４を挟んで実装されるＬＥＤ素子３のピッチも所望の幅に最適化することができるようになる。
【００４８】
図６に示すように、収容シート２は、ＬＥＤ実装モジュール１０が収容されている収容部の間において、表示面側シート２１と背面側シート２２とが密着されて形成されている連接部２４が、図６に示すように交互に山折り谷折りされることによって、コンパクトに折り畳むことが可能となる構造を有する。尚、収容シート２に収容されるＬＥＤ実装モジュール１０が２つのみである場合は、折畳みは山折りでも谷折りでもよいが、表示面側シート２１が内側にくるように折り畳むことにより、折畳み搬送中のＬＥＤ素子３の外部衝撃による破損をより確実に防止することができるようになる。
【００４９】
［ＬＥＤ表示パネルの実施形態］
本発明のＬＥＤ表示パネル１００の実施形態について、図１及び図２を用いて説明する。図１のＬＥＤ表示パネルは、複数のＬＥＤ実装モジュール１０が、鉛直方向に連接部２４で連接され、ＬＥＤ表示パネル１００が一平面状となる構造である。固定機構４がＬＥＤ表示パネル１００の連接部２４を折り曲られていない状態で固定可能とすることで、連接されたＬＥＤ実装モジュール１０の表示面を一平面状に配置された状態で固定することができる。これにより、ＬＥＤ表示パネル１００の使用に際してＬＥＤ表示パネル１００の表示面の平面性を自律的に保持することができる。
【００５０】
図２のＬＥＤ表示パネル１００は、連接部２４が折り曲げられた状態で複数のＬＥＤ実装モジュール１０が、連接部２４で地面に対し水平方向に連接されてなる構造である。図２のＬＥＤ表示パネルのように連接部２４の少なくとも一部が折り曲げられた状態にするには、固定機構４が連接部２４を折り曲げられた状態で固定可能とする機構とすることで実現することができる。連接部２４の少なくとも一部が折り曲げられた状態で固定可能とすることで、連接された各ＬＥＤ実装モジュール１０の表示面が異なった方向に向かうように配置された状態で固定することができる。これにより、ＬＥＤ表示パネル１００の使用に際してＬＥＤ表示パネル１００の表示面を多面状とした状態でＬＥＤ表示パネル１００を自律的に保持することができる。例えば、ＬＥＤ表示パネル１００の視聴する者が居る方向に各ＬＥＤ実装モジュール１０の表示面が向くように配置された状態でＬＥＤ表示パネル１００を自律的に保持することができる。また、図２のＬＥＤ表示パネル１００は、意匠性に優れたＬＥＤ表示パネルである。
【００５１】
また、ＬＥＤ表示パネル１００を、固定機構４と地面との接触面が同一の面となるような固定機構４を有するＬＥＤ表示パネル１００としたり、固定機構４に更にスペーサー等を設けることで固定機構４と地面との接触面が同一の面となるような固定機構４を有するＬＥＤ表示パネル１００としてもよい。ＬＥＤ表示パネル１００を固定機構４と地面との接触面を同一の面となるような構造とすることで、ＬＥＤ表示パネル１００は安定性を有する状態で自律することができる。
【００５２】
また、地面と接触する一方の固定機構４と地面との接触面に、キャスター等の車輪を備える機構又は車輪を装着可能な機構を設けてもよい。ＬＥＤ表示パネル１００を地面に対し水平方向に連接された状態で安定的に自律可能であって、更に車輪を利用して移動可能なＬＥＤ表示パネル又はＬＥＤ情報表示装置とすることができる。
【００５３】
車輪は、キャスターのような使用者がＬＥＤ表示パネル又はＬＥＤ情報表示装置を手動で押すことにより移動可能な車輪としてもよいし、モーターのような電気により駆動可能な車輪としてもよい。モーターのような電気により駆動可能な車輪の場合、その制御方法はリモートコントロール等の公知の制御方法を挙げることができる。
【００５４】
また、モーターのような電気により駆動可能な車輪を利用して、ＬＥＤ表示パネル１００又はＬＥＤ情報表示装置２００の連接部２４を所望する角度に変更できるように、リモートコントロールの制御によって車輪を駆動可能としてもよい。使用者が直接手によってＬＥＤ表示パネル１００又はＬＥＤ情報表示装置２００の連接部２４の角度を変更しなくとも、リモートコントロールにより制御された車輪によってＬＥＤ表示パネル１００又はＬＥＤ情報表示装置２００の連接部２４を使用者が所望する角度に自由に変更をし、連接部２４を固定機構４によって使用者が所望する特定の角度に固定することができる。
【００５５】
また、ＬＥＤ表示パネル１００の表示面側シート２１を有色シート部と透明シート部とからなる表示面側シートとし、連接部２４を構成する領域におけるＬＥＤ実装モジュール１０と平面視上重なる範囲に有色シート部が存在しない構成としてもよい。複数のＬＥＤ実装モジュール１０に実装されたＬＥＤ素子３の実装ピッチをＬＥＤ実装モジュール１０の間の連接部２４も含めて最適化することができる。これにより、複数のＬＥＤ実装モジュール１０が一体となったＬＥＤ表示パネルとして、精細度の高い状態で文字や図形等の情報を表示することができる。特に本発明の連接部２４を所望の角度で固定可能とする固定機構４が備わることで、一体となったＬＥＤ表示パネル１００の一部が折り曲げられた状態で固定し、一体となったＬＥＤ表示パネル１００の表示面を多面状とした状態で自律的に保持することができる。
【００５６】
＜ＬＥＤ情報表示装置＞
上記において説明したＬＥＤ表示パネル１００を外部操作基盤８と接続することによって、ＬＥＤ表示パネル１００を情報表示部として備えるＬＥＤ情報表示装置２００とすることができる。
【００５７】
ＬＥＤ情報表示装置２００は、固定機構４により連接部２４を所望の角度で固定可能な固定機構４を備えるため、他に固定装置等を用いずともＬＥＤ表示パネル１００の連接部２４を所望の角度で固定して適宜使用することができる。
【００５８】
外部操作基盤８は、各ＬＥＤ実装モジュール１０に実装されているＬＥＤ素子３に対して、それぞれ個別に、点灯のタイミング、点灯時間等を制御する機能を有する部品・装置であり、例えば、タイミング制御をプログラム的に実行するアルゴリズムを実行可能プログラムとしてＲＯＭ化したもの、かかるアルゴリズムをＩＣチップとしてこれを搭載した基板等として実現することができる。この全体制御部は、使用勝手に応じて、例えばＬＥＤ実装モジュール１０の連接部２４とは別個の系統として、端部に設けるようにすることもできるが、配設位置に特に限定はない。
【００５９】
以上説明した通り、本発明によれば、ＬＥＤ表示パネルに固定機構を備えることで他に固定装置等を用いずとも連接部を所望の角度で簡便に固定できるＬＥＤ表示パネル及びそれを用いたＬＥＤ情報表示装置を提供することができる。
【符号の説明】
【００６０】
１        ＬＥＤ素子用基板
２        収容シート
２１      表示面側シート
２２      背面側シート
２３      封止部
２４      連接部
３        ＬＥＤ素子
４        固定機構
４１      ラチェット機構
４１１    ラチェット歯車
４１２    歯止部材
４１３    バネ
４２      芯
５        配線
６        中継基盤
７        ドライバ
８        外部操作基盤
１０      ＬＥＤ実装モジュール
１１      支持基板
１２      スペーサー
１３      黒色層
１４      背面側補強版
１５      拡散板
１００    ＬＥＤ表示パネル
２００    ＬＥＤ情報表示装置
【図１】
2017032859.tif 000003
【図２】
2017032859.tif 000004
【図３】
2017032859.tif 000005
【図４】
2017032859.tif 000006
【図５】
2017032859.tif 000007
【図６】
2017032859.tif 000008
【図７】
2017032859.tif 000009